(57)【特許請求の範囲】
【請求項１】
シャーシ（２）等に複数の油圧配管（２２）をクランプ（２３）とボルト（２４）により縦方向に固定するに、位置決め用カラー（２０）の外周面にプレート（２１）を直交方向に溶接し、該プレート（２１）の上下に油圧配管（２２）とクランプ（２３）を配置して、プレート（２１）と位置決め用カラー（２０）でプレート（２１）の上下に配設した油圧配管（２２）の締付け代（ｘ）を一定にして、ボルト（２４）で固定するように構成したことを特徴とする油圧配管の固定装置。
【発明の詳細な説明】
【０００１】
【発明の属する技術分野】
本発明は、油圧配管の固定装置に係り、詳しくは、走行装置を備えた建設機械や農業機械において、種々の異なる作業内容に対応して装備された作業アタッチメントを油圧により作動させる為に配設した油圧配管を縦方向に固定するための装置に関するものである。
【０００２】
【従来の技術】
走行装置を備えた建設機械や農業機械では、種々の異なる作業内容に対応するため、例えば、油圧ポンプに接続された油圧取出口とシャーシの前方に装着された作業アタッチメント（フロントドーザ）の油圧シリンダとの間に複数の油圧配管が設けられている。
【０００３】
ところが、従来の油圧配管の固定装置は、シャーシ等に複数の油圧配管を固定する場合、クランプとボルトにより横方向に固定していたが、横方向のスペースに厳しい制約がある場合には複数の油圧配管を縦方向に固定しなければならない。ところが、クランプとボルトのみによる固定では、油圧配管の径や材質が異なる場合には、締付け代にバラツキが生じて均一な締付けができず、的確に固定することができないという不具合があった。
【０００４】
【発明が解決しようとする課題】
本発明は、上記のような実状に鑑み、従来の不具合を解消すべく創案されたものであって、その意図するところは、シャーシその他の箇所に複数の油圧配管を固定するに当たり、横方向のスペースに厳しい制限があって横方向への固定ができない場合、クランプとボルトを使用するものでありながら、複数の油圧配管を縦方向に固定することができ、しかも、固定される複数の油圧配管に材質や径が異なっていても、的確に固定することができる油圧配管の固定装置を提供することを課題とするものである。
【０００５】
【課題を解決するための手段】
課題を解決するため本発明が採用した技術的手段は、シャーシ等に複数の油圧配管をクランプとボルトにより縦方向に固定するに、位置決め用カラーの外周面にプレートを直交方向に溶接し、該プレートの上下に油圧配管とクランプを配置して、プレートと位置決め用カラーでプレートの上下に配設した油圧配管の締付け代を一定にして、ボルトで固定するように構成したことを特徴とするものである。
【０００７】
【発明の実施の形態】
本発明の実施の形態を添付図面に基づいて詳細に説明する。
図１ないし図３において、１はクローラ式走行装置１ａを備えた農用トラクタであって、該農用トラクタ１のシャーシ２にはブラケット３を介してフロントドーザ４が装着されて、ブルドーザとしての機能が付与されている。
【０００８】
上記ブラケット３は、シャーシ２の高さと略同一の高さを有する取付片３ａと、該取付片３ａの外側面中央部位の縦方向に、シャーシ２の上下端縁より突出させた状態で、平面視コ字状に一体形成された枢結片３ｂと、該枢結片３ｂの下端開放部を覆う底板３ｃとからなり、取付片３ａをシャーシ２の左右外側面に複数の緊締具３ｄ、３ｄ…を介して対向状に固定されている。
【０００９】
そして、左右ブラケット３、３の下端部には、前記底板３ｃ、３ｃの下面に帯状プレート５が緊締具６、６…を介して連結固定されており、したがって、左右ブラケット３、３は取付片３ａと帯状プレート５とによって、シャーシ２、２の外側面に強固に固定されるようになっている。
【００１０】
左右ブラケット３、３の枢結片３ｂ、３ｂの下端側には、フロントドーザ４のブレード７を上下揺動自在に支持するドーザアーム８、８の基端部が連結ピン８ａ、８ａを介して枢支連結されており、また左右ブラケット３、３の枢結片３ｂ、３ｂの上端側には、ドーザシリンダ９のピストンロッド９ａの先端部が連結ピン９ｂ、９ｂを介して枢支連結され、されにシリンダチューブ９ｃ、９ｃの基端部は、ドーザアーム８、８の先端側に設けたブラケット８ｂ、８ｂに連結ピン８ｃ、８ｃを介してすうし連結されている。
【００１１】
前記ドーザアーム８、８の先端部はフレーム１０を介して連結され、該フレーム１０の左右方向中心部位には上下方向に所要の間隔を存してプレート１１、１１が前方に突出形成されていると共に、ブレード７の左右方向中心部位の後部下端側から上記プレート１１、１１の対向間隔内に延設されたアーム７ａが連結ピン７ｂを介してプレート１１、１１間に枢支連結されている。
【００１２】
前記フレーム１０には、プレート１１、１１のうち下位のプレート１１の下側に向けてブラケット１２が延設されており、該ブラケット１２の先端側の左右端部とブレード７の後部下端側の左右端部との間には、それぞれブレード７を左右揺動自在に作動させる油圧シリンダ１３、１４がピストンロッド１３ａ、１４ａをブラケット１２側に、シリンダチューブ１３ｂ、１４ｂをブレード７側に連結した状態で斜設されており、更にブレード７の後部中間部位に位置して、該ブレード７と平行に油圧シリンダ１５がピストンロッド１５ａをアーム７ａ側にシリンダチューブ１５ｂをブレード７の左側端に連結した状態で設けられている。
【００１３】
ブレード７を昇降自在に作動させるドーザシリンダ９への油圧配管は、図３に示すように外部油圧取出口１６からホース１７により帯状プレート５の中央部に固定したブロック１８に接続され、そこから左右に分岐したホース１９、１９をドーザアーム８、８の上下揺動支点となる連結ピン８ａ、８ａおよびブレード７の昇降支点となる連結ピン８ｃ、８ｃの近傍を通過させてシリンダチューブ９ｃ、９ｃに接続されている。また、連結ピン７ｂを左右揺動支点としてブレード７を左右揺動自在に作動させる油圧シリンダ１３、１４、１５への油圧配管は、シャーシ２の外側面からドーザアーム８の外側面を通過させてシリンダチューブ１３ｂ、１４ｂ、１５ｂに接続されている。
【００１４】
上記複数の油圧配管の接続過程において、図３に示す符号イの部分は、複数の油圧配管をフレーム１０に、また符号ハの部分は、複数の油圧配管をシャーシ２にそれぞれ縦方向に固定されており、符号ロの部分は、複数の油圧配管をドーザアーム８の外側面の横方向に固定されているものである。
【００１５】
すなわち、図４は複数の油圧配管をシャーシ２またはフレーム１０に縦方向に固定した状態を示すものであって、位置決め用カラー２０の外周面にプレート２１を直交方向に溶接し、該プレート２１の上下に複数の油圧配管２２、２２…とクランプ２３、２３を配置し、プレート２１と位置決め用カラー２０でプレート２１の上下に配置した油圧配管２２、２２…の締付け代ｘを一定にし、ボルト２４で固定するように構成したものである。
【００１６】
したがって、固定されている複数の油圧配管２２、２２…が、例えば上段に耐油性のゴムホースを配置し、下段に鉄パイプを配置するように、材質が異なっていても、締付け代ｘを一定にしたことによって的確に固定することができる。
【００１７】
また、クランプ２３の油圧配管２２への押え面が端面視において、鈍角状の山形傾斜面２３ａに形成されているので、上記傾斜面２３ａの許容範囲であれば、油圧配管２２の径が異なっていても的確に固定することができる。
【００１８】
更にプレート２１の板厚や位置決め用カラー２０への上下方向の溶接位置を変えることによって、プレート２１を介して上下に配置した油圧配管２２、２２…のそれぞれに適した締付け代ｘが設定でき、したがって、この場合にも複数の油圧配管２２、２２…を的確に固定することができる。
【００１９】
図５はドーザアーム８の外側面に、複数の油圧配管２２を横方向にそれぞれ単独に固定した状態を示すものであって、クランプ２３と位置決め用カラー２０とを一体化し、該クランプ２３と位置決め用カラー２０で配置した油圧配管２２、２２の締付け代ｘを一定にしてボルト２４で固定するように構成したものである。
【００２０】
【発明の効果】
以上の説明によって明らかなように、本発明によれば、シャーシ等に複数の油圧配管をクランプとボルトにより縦方向に固定するに、位置決め用カラーの外周面にプレートを直交方向に溶接し、該プレートの上下に油圧配管とクランプを配置して、プレートと位置決め用カラーでプレートの上下に配設した油圧配管の締付け代を一定にして、ボルトで固定するように構成するものであるから、固定される油圧配管の材質や径が異なっていても的確に固定でき、またプレートの板厚や位置決め用カラーへの上下方向の溶接位置を変えることによって、上下に配置した油圧配管それぞれに適した締付け代が設定でき、したがって、この場合にも的確に固定することができる。
【図面の簡単な説明】
【図１】農用トラクタにフロントドーザを装着した状態を示す全体側面図である。
【図２】要部側面図である。
【図３】要部平面図である。
【図４】シャーシに配置された複数の油圧配管のハ−ハ線断面図である。
【図５】ドーザアームに配置された複数の油圧配管のロ−ロ線断面図である。
【符号の説明】
１      農用トラクタ
２      シャーシ
４      フロントドーザ
２０    位置決め用カラー
２１    プレート
２２    油圧配管
２３    クランプ
２３ｂ  山形傾斜面
２４    ボルト
ｘ      締付け代
【図１】
0004592238.tif 000002
【図２】
0004592238.tif 000003
【図３】
0004592238.tif 000004
【図４】
0004592238.tif 000005
【図５】
0004592238.tif 000006